(57)【要約】【課題】最前段の画素容量の充電不足に起因する表示品位の低下に対して、温度補償を容易に行うことのできる、交流駆動方式の表示装置を実現する。【解決手段】各単位においてゲート走査順に見て少なくとも最前段以外の画素が接続されているゲート信号線に出力されるゲート信号（Ｇ（ｊ））は、ゲートロー電圧（Ｖｇｌ）以上のレベルから開始してゲートハイ電圧（Ｖｇｈ）のレベルまで徐々に上昇する電圧レベル傾斜期間（ｔ１）と、上記電圧レベル傾斜期間（ｔ１）に続く、ゲートハイ電圧（Ｖｇｈ）のレベルで一定となる電圧レベル一定期間（ｔ２）とからなる第１の電圧と、上記第１の電圧の全期間以外のゲートロー電圧（Ｖｇｌ）からなる第２の電圧（Ｖｇｌ）とを、つなぎ合わせた波形として、上記ゲート信号線に出力可能である。【選択図】図１
2009294306.tif 000002
【特許請求の範囲】
【請求項１】
同一のソース信号線に接続された複数の画素を、連続するＮ個（Ｎは２以上の整数）の画素からなる単位に分けて、各上記単位内の画素どうしではソース信号を同極性とするとともに、上記同一のソース信号線について隣接する上記単位どうしではソース信号を逆極性とする交流駆動を行うアクティブマトリクス型の表示装置において、
各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力することが可能であることを特徴とする表示装置。
【請求項２】
上記第１の電圧は、電圧レベルが徐々に上昇する電圧レベル上昇期間であって少なくとも上記電圧レベル傾斜期間を最後に含む電圧レベル上昇期間と、上記電圧レベル上昇期間に続くゲートハイ電圧の一定レベルとなるＨｉｇｈレベル期間であって少なくとも上記電圧レベル一定期間を最初に含むＨｉｇｈレベル期間と、上記Ｈｉｇｈレベル期間に続く、電圧レベルが低下する電圧レベル低下期間とからなる電圧波形が繰り返し連続するように生成された信号である原信号に含まれる、１つの上記電圧波形から抽出した電圧であることを特徴とする請求項１に記載の表示装置。
【請求項３】
各上記単位において上記最前段以外の画素が接続されているゲート信号線に出力されるゲート信号を、上記原信号から抽出した上記第１の電圧と上記第２の電圧とをつなぎ合わせて上記波形を有するゲート信号とし、
上記最前段の画素が接続されているゲート信号線に出力されるゲート信号を、１つの上記電圧波形の上記Ｈｉｇｈレベル期間における上記電圧レベル一定期間の後の期間から抽出したゲートハイ電圧と、上記第２電圧とをつなぎ合わせたゲート信号とすることを特徴とする請求項２に記載の表示装置。
【請求項４】
各上記単位において、各画素が接続されているゲート信号線に出力されるゲート信号を、上記原信号から抽出した上記第１の電圧と上記第２の電圧とをつなぎ合わせて上記波形を有するゲート信号とすることを特徴とする請求項２に記載の表示装置。
【請求項５】
上記原信号を生成する回路は、オペアンプ、第１の抵抗、第２の抵抗、第３の抵抗、第４の抵抗、第５の抵抗、第６の抵抗、定電流源、コンデンサ、および、スイッチを備えており、
上記第１の抵抗の一端は上記オペアンプの非反転入力端子に接続されており、上記第１の抵抗の他端には一定の基準電圧が入力され、上記第２の抵抗の一端は上記非反転入力端子に接続されており、上記第２の抵抗の他端はＧＮＤに接続されており、上記第３の抵抗の一端は上記オペアンプの反転入力端子に接続されており、上記第３の抵抗の他端は上記第４の抵抗の一端および上記スイッチの一方の端子に接続されており、上記第４の抵抗の一端は上記オペアンプの出力端子に接続されており、上記第４の抵抗の他端は上記反転入力端子に接続されており、上記第５の抵抗の他端は上記第６の抵抗の一端および上記コンデンサの一方の端子に接続されており、上記第６の抵抗の他端は上記定電流源の出力端子に接続されており、上記コンデンサの他端および上記スイッチの他方の端子はＧＮＤに接続されており、上記スイッチは、ＨｉｇｈレベルとＬｏｗレベルとに切り替わる制御信号に従って開閉動作することを特徴とする請求項２から４までのいずれか１項に記載の表示装置。
【請求項６】
上記第５の抵抗は負特性サーミスタであることを特徴とする請求項５に記載の表示装置。
【請求項７】
同一のソース信号線に接続された複数の画素を、連続するＮ個（Ｎは２以上の整数）の画素からなる単位に分けて、各上記単位内の画素どうしではソース信号を同極性とするとともに、上記同一のソース信号線について隣接する上記単位どうしではソース信号を逆極性とする交流駆動を行うアクティブマトリクス型の表示装置を駆動する表示装置の駆動方法において、
各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力することを特徴とする表示装置の駆動方法。
【請求項８】
上記第１の電圧を、電圧レベルが徐々に上昇する電圧レベル上昇期間であって少なくとも上記電圧レベル傾斜期間を最後に含む電圧レベル上昇期間と、上記電圧レベル上昇期間に続くゲートハイ電圧の一定レベルとなるＨｉｇｈレベル期間であって少なくとも上記電圧レベル一定期間を最初に含むＨｉｇｈレベル期間と、上記Ｈｉｇｈレベル期間に続く、電圧レベルが低下する電圧レベル低下期間とからなる電圧波形が繰り返し連続するように生成された信号である原信号に含まれる、１つの上記電圧波形から抽出した電圧とすることを特徴とする請求項７に記載の表示装置の駆動方法。
【請求項９】
各上記単位において上記最前段以外の画素が接続されているゲート信号線に出力されるゲート信号を、上記原信号から抽出した上記第１の電圧と上記第２の電圧とをつなぎ合わせて上記波形を有するゲート信号とし、
上記最前段の画素が接続されているゲート信号線に出力されるゲート信号を、１つの上記電圧波形の上記Ｈｉｇｈレベル期間における上記電圧レベル一定期間の後の期間から抽出したゲートハイ電圧と、上記第２電圧とをつなぎ合わせたゲート信号とすることを特徴とする請求項８に記載の表示装置の駆動方法。
【請求項１０】
各上記単位において、各画素が接続されているゲート信号線に出力されるゲート信号を、上記原信号から抽出した上記第１の電圧と上記第２の電圧とをつなぎ合わせて上記波形を有するゲート信号とすることを特徴とする請求項８に記載の表示装置の駆動方法。
【発明の詳細な説明】
【技術分野】
【０００１】
本発明は、表示装置の交流駆動に関するものである。
【背景技術】
【０００２】
液晶モジュールの駆動方法においては、液晶の劣化を抑える目的でフレーム毎に液晶印加電圧の極性を反転する交流駆動が主流である。そして、さらに表示品位を向上させるためにフレーム内にてドット反転を行った場合には、図９に示すように、ゲート信号線とソース信号線とのそれぞれの１ライン毎に、また、ゲートスタートパルスＧＳＰがゲートドライバのシフトレジスタ内を転送されるのに伴って出力されるゲート信号Ｇ（１）、Ｇ（２）、…、Ｇ（ｍ）の各期間毎に、ソース信号線に出力されるソース信号Ｓの極性を反転させる。また、同一画素に対しては１フレーム毎でもソース信号Ｓの極性を反転させる。図９では、２つの隣接ソース信号線に対するソース信号をＳ（１）およびＳ（２）で表している。その結果、ソース信号線を交互に異なる極性の電圧に充電することに伴ってソースドライバの消費電力が増大するという問題が生じるので、この問題を解消するために、極性反転を２ライン毎に行ういわゆる２Ｈドット反転駆動が主流となっている。
【０００３】
２Ｈドット反転駆動では、図１０に示すように、ゲート信号Ｇ（１）とＧ（２）、ゲート信号Ｇ（３）とＧ（４）というように、連続する２つのゲート信号線に接続された同一ソース信号線上の画素には同一の極性のソース信号Ｓを供給するとともに当該ソース信号線上の次の２つのゲート信号線に対してはソース信号Ｓの極性を反転し、隣接ソース信号線どうしであるソース信号Ｓ（１）とソース信号Ｓ（２）との間でも極性を反転させる。また、同一画素に対しては１フレーム毎でもソース信号Ｓの極性を反転させる。
【０００４】
図１１に示すように、通常、ソース信号Ｓの立ち上がりおよび立ち下がりにおいては波形がなまっている。従って、２Ｈドット反転駆動を行った場合には、同一ソース信号線上でソース信号Ｓが同極性となる２つの連続する画素のうち、前段側のゲート信号線に接続されているほうの画素については、ソース信号線に供給されるソース信号Ｓがより前段側の画素に対するソース信号Ｓから極性を反転されるものであるため、ソース信号Ｓに大きな立ち上がり領域あるいは立ち下がり領域を伴うこととなって、ソース信号Ｓの画素容量への書き込み期間Ｔ１のうち、波形なまり期間Ｔｄだけ液晶印加時間が短くなる。つまり画素容量に蓄えられる電荷が減少することとなる。一方、同一ソース信号線上でソース信号Ｓが同極性となる２つの連続する画素のうち、後段側のゲート信号線に接続されているほうの画素については、ソース信号Ｓが前段側の画素に対して極性反転を伴わないし、隣接画素であることからソース信号Ｓそのものが前段側の画素のソース信号Ｓに非常に近い場合もある。このため、ソース信号Ｓに大きな立ち上がり領域あるいは立ち下がり領域を伴うことはなく、ソース信号Ｓの画素容量への書き込み期間Ｔ２で十分な液晶印加時間が得られる。
【０００５】
この結果、前段側の画素は、後段側の画素に比べて液晶電位の到達能力が低下することとなる。
【０００６】
このような問題を解消するために、特許文献１では、前段側の画素に対するソース信号Ｓの書き込み期間を長くする構成を開示している。
【０００７】
図１２に、特許文献１の表示装置の構成を示す。
【０００８】
この表示装置では、タイミング制御部４００がゲートドライバー２００に、垂直同期開始信号ＳＴＶ、ゲート選択信号ＣＰＶ、および、ゲートイネーブル信号ＯＥを供給している。図１３にこれらの波形を示す。ゲートイネーブル信号ＯＥは、そのＬｏｗ期間がゲート信号ｇ（ｇ１、ｇ２、…）のアクティブ期間を決定しているが、タイミング制御部４００は、例えばこのゲートイネーブル信号ＯＥのＨｉｇｈ期間を制御して、所定のＬｏｗ期間の長さを他のＬｏｗ期間と異ならせることができる。このようにして、２Ｈドット反転駆動を行う場合には、前段側の画素に対するゲート信号ｇのアクティブ期間を長くするようにして、前段側と後段側とで画素容量の実質的な充電期間を揃える。
【特許文献１】特開２００３−６６９２８号公報（２００３年３月５日公開）
【発明の開示】
【発明が解決しようとする課題】
【０００９】
しかしながら、上述した、２Ｈドット反転駆動における前段側の画素容量の充電不足は、常温や高温時には表示にはさほど影響しないために問題とはならず、主として低温時に表示画面に横筋を発生させるなどの表示品位の低下をもたらして問題となる。
【００１０】
従って、特許文献１の表示装置において、低温時にのみ前段側の画素容量の充電不足を解消しようとすれば、表示装置に温度センサを設けて、当該温度センサからの温度検出出力に基づいてタイミングコントローラがゲートイネーブル信号ＯＥのＬｏｗ期間を制御しなければならず、複雑な構成が必要となる。
【００１１】
このように、従来の２Ｈドット反転駆動を行う表示装置には、前段側の画素容量の充電不足に起因した表示品位の低下に対する温度補償を行うのに複雑な構成が必要になるという問題があった。
【００１２】
本発明は、上記従来の問題点に鑑みなされたものであり、その目的は、連続して同極性のソース信号が供給される複数の画素どうしにおける、最前段の画素容量の充電不足に起因する表示品位の低下に対して、温度補償を容易に行うことのできる、交流駆動方式の表示装置および表示装置の駆動方法を実現することにある。
【課題を解決するための手段】
【００１３】
本発明の表示装置は、上記課題を解決するために、同一のソース信号線に接続された複数の画素を、連続するＮ個（Ｎは２以上の整数）の画素からなる単位に分けて、各上記単位内の画素どうしではソース信号を同極性とするとともに、上記同一のソース信号線について隣接する上記単位どうしではソース信号を逆極性とする交流駆動を行うアクティブマトリクス型の表示装置において、各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力することが可能であることを特徴としている。
【００１４】
上記の発明によれば、少なくとも最前段以外の画素が接続されているゲート信号線に出力されるゲート信号を、第１の電圧と第２の電圧とをつなぎ合わせた波形として生成するので、ゲート信号の立ち上がりに伴う電圧レベル傾斜期間における画素容量の充電が緩慢に進む。従って、画素の選択期間の終了時における液晶電位の到達能力を、最前段の画素と同等にすることができる。これにより、最前段の画素とそれ以外の画素とで輝度が揃い、表示品位の低下を避けることができる。
【００１５】
また、電圧レベル傾斜期間の傾斜は、抵抗およびコンデンサによる時定数のような、アナログ回路の特性を利用して任意に形成することができる。従って、当該傾斜の勾配はアナログ回路の構成に応じて適宜変化させることが可能であり、アナログ回路の温度特性を利用して、周囲温度に応じた傾斜の勾配を当該アナログ回路上で生成することができる。従って、最前段の画素の充電不足に起因する表示品位の低下に対する温度補償を容易に行うことができる。
【００１６】
以上により、連続して同極性のソース信号が供給される複数の画素どうしにおける、最前段の画素容量の充電不足に起因する表示品位の低下に対して、温度補償を容易に行うことのできる、交流駆動方式の表示装置を実現することができるという効果を奏する。
【００１７】
本発明の表示装置は、上記課題を解決するために、上記第１の電圧は、電圧レベルが徐々に上昇する電圧レベル上昇期間であって少なくとも上記電圧レベル傾斜期間を最後に含む電圧レベル上昇期間と、上記電圧レベル上昇期間に続くゲートハイ電圧の一定レベルとなるＨｉｇｈレベル期間であって少なくとも上記電圧レベル一定期間を最初に含むＨｉｇｈレベル期間と、上記Ｈｉｇｈレベル期間に続く、電圧レベルが低下する電圧レベル低下期間とからなる電圧波形が繰り返し連続するように生成された信号である原信号に含まれる、１つの上記電圧波形から抽出した電圧であることを特徴としている。
【００１８】
上記の発明によれば、第１の電圧を、電圧レベル上昇期間とＨｉｇｈレベル期間と電圧レベル低下期間とからなる電圧波形が繰り返し連続するように生成された原信号から抽出するので、各ゲート信号線に順次出力する第１の電圧を用いるゲート信号の全てに対して、原信号から抽出した第１の電圧を用いることができ、ゲート信号を容易に生成することができるという効果を奏する。
【００１９】
本発明の表示装置は、上記課題を解決するために、各上記単位において上記最前段以外の画素が接続されているゲート信号線に出力されるゲート信号を、上記原信号から抽出した上記第１の電圧と上記第２の電圧とをつなぎ合わせて上記波形を有するゲート信号とし、上記最前段の画素が接続されているゲート信号線に出力されるゲート信号を、１つの上記電圧波形の上記Ｈｉｇｈレベル期間における上記電圧レベル一定期間の後の期間から抽出したゲートハイ電圧と、上記第２電圧とをつなぎ合わせたゲート信号とすることを特徴としている。
【００２０】
上記の発明によれば、最前段以外の画素が接続されているゲート信号線に出力されるゲート信号と、最前段の画素が接続されているゲート信号線に出力されるゲート信号との全てを、同じ原信号を用いて生成することができる。従って、全ゲート信号を容易に生成することができるという効果を奏する。
【００２１】
本発明の表示装置は、上記課題を解決するために、各上記単位において、各画素が接続されているゲート信号線に出力されるゲート信号を、上記原信号から抽出した上記第１の電圧と上記第２の電圧とをつなぎ合わせて上記波形を有するゲート信号とすることを特徴としている。
【００２２】
上記の発明によれば、全ゲート信号を同じ原信号を用いて容易に生成することができるという効果を奏する。
【００２３】
本発明の表示装置は、上記課題を解決するために、上記原信号を生成する回路は、オペアンプ、第１の抵抗、第２の抵抗、第３の抵抗、第４の抵抗、第５の抵抗、第６の抵抗、定電流源、コンデンサ、および、スイッチを備えており、上記第１の抵抗の一端は上記オペアンプの非反転入力端子に接続されており、上記第１の抵抗の他端には一定の基準電圧が入力され、上記第２の抵抗の一端は上記非反転入力端子に接続されており、上記第２の抵抗の他端はＧＮＤに接続されており、上記第３の抵抗の一端は上記オペアンプの反転入力端子に接続されており、上記第３の抵抗の他端は上記第４の抵抗の一端および上記スイッチの一方の端子に接続されており、上記第４の抵抗の一端は上記オペアンプの出力端子に接続されており、上記第４の抵抗の他端は上記反転入力端子に接続されており、上記第５の抵抗の他端は上記第６の抵抗の一端および上記コンデンサの一方の端子に接続されており、上記第６の抵抗の他端は上記定電流源の出力端子に接続されており、上記コンデンサの他端および上記スイッチの他方の端子はＧＮＤに接続されており、上記スイッチは、ＨｉｇｈレベルとＬｏｗレベルとに切り替わる制御信号に従って開閉動作することを特徴としている。
【００２４】
上記の発明によれば、スイッチの開閉動作に対応して、オペアンプを用いて構成された減算部が、原信号の電圧レベル上昇期間とＨｉｇｈレベル期間と電圧レベル低下期間とからなる電圧波形とを容易に生成することができるという効果を奏する。
【００２５】
本発明の表示装置は、上記課題を解決するために、上記第５の抵抗は負特性サーミスタであることを特徴としている。
【００２６】
上記の発明によれば、負特性サーミスタの温度特性により低温時と常温・高温時とで原信号の電圧レベル上昇期間の傾斜の勾配を大きく変化させることができるので、表示品位の低下に対する温度補償を容易に行うことができるという効果を奏する。
【００２７】
本発明の表示装置の駆動方法は、上記課題を解決するために、同一のソース信号線に接続された複数の画素を、連続するＮ個（Ｎは２以上の整数）の画素からなる単位に分けて、各上記単位内の画素どうしではソース信号を同極性とするとともに、上記同一のソース信号線について隣接する上記単位どうしではソース信号を逆極性とする交流駆動を行うアクティブマトリクス型の表示装置を駆動する表示装置の駆動方法において、各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力することを特徴としている。
【００２８】
上記の発明によれば、少なくとも最前段以外の画素が接続されているゲート信号線に出力されるゲート信号を、第１の電圧と第２の電圧とをつなぎ合わせた波形として生成するので、ゲート信号の立ち上がりに伴う電圧レベル傾斜期間における画素容量の充電が緩慢に進む。従って、画素の選択期間の終了時における液晶電位の到達能力を、最前段の画素と同等にすることができる。これにより、最前段の画素とそれ以外の画素とで輝度が揃い、表示品位の低下を避けることができる。
【００２９】
また、電圧レベル傾斜期間の傾斜は、抵抗およびコンデンサによる時定数のような、アナログ回路の特性を利用して任意に形成することができる。従って、当該傾斜の勾配はアナログ回路の構成に応じて適宜変化させることが可能であり、アナログ回路の温度特性を利用して、周囲温度に応じた傾斜の勾配を当該アナログ回路上で生成することができる。従って、最前段の画素の充電不足に起因する表示品位の低下に対する温度補償を容易に行うことができる。
【００３０】
以上により、連続して同極性のソース信号が供給される複数の画素どうしにおける、最前段の画素容量の充電不足に起因する表示品位の低下に対して、温度補償を容易に行うことのできる、交流駆動方式の表示装置の駆動方法を実現することができるという効果を奏する。
【００３１】
本発明の表示装置の駆動方法は、上記課題を解決するために、上記第１の電圧を、電圧レベルが徐々に上昇する電圧レベル上昇期間であって少なくとも上記電圧レベル傾斜期間を最後に含む電圧レベル上昇期間と、上記電圧レベル上昇期間に続くゲートハイ電圧の一定レベルとなるＨｉｇｈレベル期間であって少なくとも上記電圧レベル一定期間を最初に含むＨｉｇｈレベル期間と、上記Ｈｉｇｈレベル期間に続く、電圧レベルが低下する電圧レベル低下期間とからなる電圧波形が繰り返し連続するように生成された信号である原信号に含まれる、１つの上記電圧波形から抽出した電圧とすることを特徴としている。
【００３２】
上記の発明によれば、第１の電圧を、電圧レベル上昇期間とＨｉｇｈレベル期間と電圧レベル低下期間とからなる電圧波形が繰り返し連続するように生成された原信号から抽出するので、各ゲート信号線に順次出力する第１の電圧を用いるゲート信号の全てに対して、原信号から抽出した第１の電圧を用いることができ、ゲート信号を容易に生成することができるという効果を奏する。
【００３３】
本発明の表示装置の駆動方法は、上記課題を解決するために、各上記単位において上記最前段以外の画素が接続されているゲート信号線に出力されるゲート信号を、上記原信号から抽出した上記第１の電圧と上記第２の電圧とをつなぎ合わせて上記波形を有するゲート信号とし、上記最前段の画素が接続されているゲート信号線に出力されるゲート信号を、１つの上記電圧波形の上記Ｈｉｇｈレベル期間における上記電圧レベル一定期間の後の期間から抽出したゲートハイ電圧と、上記第２電圧とをつなぎ合わせたゲート信号とすることを特徴としている。
【００３４】
上記の発明によれば、最前段以外の画素が接続されているゲート信号線に出力されるゲート信号と、最前段の画素が接続されているゲート信号線に出力されるゲート信号との全てを、同じ原信号を用いて生成することができる。従って、全ゲート信号を容易に生成することができるという効果を奏する。
【００３５】
本発明の表示装置の駆動方法は、上記課題を解決するために、各上記単位において、各画素が接続されているゲート信号線に出力されるゲート信号を、上記原信号から抽出した上記第１の電圧と上記第２の電圧とをつなぎ合わせて上記波形を有するゲート信号とすることを特徴としている。
【００３６】
上記の発明によれば、全ゲート信号を同じ原信号を用いて容易に生成することができるという効果を奏する。
【発明の効果】
【００３７】
本発明の表示装置は、以上のように、各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力することが可能である。
【００３８】
以上により、連続して同極性のソース信号が供給される複数の画素どうしにおける、最前段の画素容量の充電不足に起因する表示品位の低下に対して、温度補償を容易に行うことのできる、交流駆動方式の表示装置を実現することができるという効果を奏する。
【００３９】
本発明の表示装置の駆動方法は、以上のように、各上記単位においてゲート走査順に見て少なくとも最前段以外の画素が接続されているゲート信号線に出力されるゲート信号を、ゲートロー電圧以上のレベルから開始してゲートハイ電圧のレベルまで徐々に上昇する電圧レベル傾斜期間と、上記電圧レベル傾斜期間に続く、ゲートハイ電圧のレベルで一定となる電圧レベル一定期間とからなる第１の電圧と、ゲートロー電圧からなる第２の電圧とを、つなぎ合わせた波形として、上記ゲート信号線に出力する。
【００４０】
以上により、連続して同極性のソース信号が供給される複数の画素どうしにおける、最前段の画素容量の充電不足に起因する表示品位の低下に対して、温度補償を容易に行うことのできる、交流駆動方式の表示装置の駆動方法を実現することができるという効果を奏する。
【発明を実施するための最良の形態】
【００４１】
本発明の実施形態について、図１ないし図８に基づいて説明すれば以下の通りである。
【００４２】
図４に、本実施形態に係る表示装置である液晶表示装置１の回路構成を示す。
【００４３】
液晶表示装置１は、液晶パネル２、フレキシブルプリント基板３、および、コントロール基板４を備えている。
【００４４】
液晶パネル２は、ガラス基板上にアモルファスシリコンや多結晶シリコン、ＣＧシリコン、微結晶シリコンなどを用いて表示領域２ａ、複数のゲート信号線ＧＬ…、および、複数のソース信号線ＳＬ…が作り込まれるとともに、ゲートドライバ５が実装され、あるいは作り込まれ、液晶層を挟んで対向基板と貼り合わされたアクティブマトリクス型の表示パネルである。表示領域２ａは、複数の絵素ＰＩＸ…がマトリクス状に配置された領域である。絵素ＰＩＸは、絵素の選択素子であるＴＦＴ１１、液晶容量ＣＬ、および、補助容量Ｃｓを備えている。ＴＦＴ１１のゲートはゲート信号線ＧＬに接続されており、ＴＦＴ１１のソースはソース信号線ＳＬに接続されている。液晶容量ＣＬおよび補助容量ＣｓはＴＦＴ１１のドレインに接続されている。
【００４５】
複数のゲート信号線ＧＬ…はゲート信号線ＧＬ１・ＧＬ２・ＧＬ３・…・ＧＬｍからなり、それぞれゲートドライバ５の出力に接続されている。複数のソース信号線ＳＬ…はソース信号線ＳＬ１・ＳＬ２・ＳＬ３・…・ＳＬｎからなり、それぞれ後述するソースドライバ６の出力に接続されている。また、図示しないが、絵素ＰＩＸ…の各補助容量Ｃｓに補助容量電圧を与える補助容量配線が形成されている。
【００４６】
ゲ−トドライバ５は、表示パネル２上で表示領域２ａに対してゲート信号線ＧＬ…の延びる方向の一方側に隣接する領域に設けられており、ゲート信号線ＧＬ…のそれぞれにゲート信号を出力し、当該ゲート信号によってゲート信号線ＧＬ…に順次ゲートパルスを供給する。
【００４７】
フレキシブルプリント基板３は、ソースドライバ６を備えている。ソースドライバ６はソース信号線ＳＬ…のそれぞれにソース信号を供給する。コントロール基板４はフレキシブルプリント基板３に接続されており、ゲートドライバ５およびソースドライバ６に必要な信号や電源を供給する。コントロール基板４から出力されたゲートドライバ５へ供給する信号および電源は、フレキシブルプリント基板３を介して液晶パネル２上からゲートドライバ５へ供給される。
【００４８】
上記構成の液晶表示装置１は、２Ｈドット反転駆動を行うことができる表示装置として以下の説明を進めるが、本実施形態は、２Ｈドット反転駆動のみならず、一般に、同一のソース信号線に接続された画素を、連続するＮ個（Ｎは２以上の整数）の画素からなる単位に分けて、各単位内の画素どうしではソース信号を同極性とするとともに、同一のソース信号線について隣接する単位どうしではソース信号を逆極性とするＮＨドット反転駆動を行う交流駆動方式について適用可能である。ＮＨドット反転駆動の場合には、以下の２Ｈドット反転駆動の場合の説明において、「前段側」を「最前段」と、また「後段側」を「最前段以外」と読み替えればよい。
【００４９】
また、以下の説明では、基本的に前記絵素ＰＩＸにＲＧＢなどの色の区別がない場合を想定しているため、上記画素の区別は前記絵素ＰＩＸの区別に等しいが、たとえ絵素ＰＩＸに色の区別があっても、各色の組み合わせの単位がゲート信号線ＧＬに沿って並んでいるかソース信号線ＳＬに沿って並んでいるかに関わらず、上記画素の区別を絵素ＰＩＸの区別と等しいものとする。
【００５０】
図５に、ゲートドライバ５の構成を示す。
【００５１】
ゲートドライバ５は、図７に実線で示す波形のゲート信号Ｇ（ｊ）（ｊ＝１、２、…、ｍのうちの偶数）を生成して、このゲート信号Ｇ（ｊ）を、２Ｈドット反転駆動において、同極性のソース信号を供給する連続した２つの画素のうちの後段側の画素のゲート信号として出力する。このゲート信号Ｇ（ｊ）は、後述するように、立ち上がりに電圧レベル傾斜期間ｔ１を有しているので、この期間における画素容量の充電は、選択素子としてのＴＦＴのソース・ドレイン間抵抗が大きいために緩慢に進む。従って、画素の選択期間の終了時における液晶電位の到達能力を、前段側の画素と同等にすることができる。これにより、前段側の画素と後段側の画素とで輝度が揃い、表示品位の低下を避けることができる。
【００５２】
ＮＨドット反転駆動で同様の効果を得ようとすれば、少なくとも最前段以外の画素のゲート信号を図７のゲート信号Ｇ（ｊ）の波形とすればよい。
【００５３】
また、２Ｈドット反転駆動でもＮＨドット反転駆動でも、図７に示す波形のゲート信号Ｇ（ｊ）を、ｊ＝１、２、…、ｍの全てに対して生成しても同様の効果が得られる。
【００５４】
ゲートドライバ５は、上記の波形を有するゲート信号Ｇ（ｊ）を生成するために、ゲートドライバチップ２１および複数のスイッチ回路２２…を備えている。ゲートドライバチップ２１は液晶パネル２にＣＯＧ実装されているが、フレキシブルプリント基板に実装されていてもよいし、チップ形態ではなく液晶パネル２に表示領域２ａとモノリシックに形成されていてもよい。スイッチ回路２２…は液晶パネル２に表示領域２ａとモノリシックに形成されている。スイッチ回路２２…は、フレキシブルプリント基板に備えられていてもよいし、ゲートドライバチップ２１に一体に形成されていてもよい。
【００５５】
ゲートドライバチップ２１はシフトレジスタを備えている。当該シフトレジスタは、ｍ個のシフトレジスタ段Ｆ１・Ｆ２・…・Ｆｍを備えており、初段のシフトレジスタ段Ｆ１に入力されるゲートスタートパルスＧＳＰを、各シフトレジスタ段に入力されるゲートクロックＧＣＫのタイミングに従って、最終段のシフトレジスタ段Ｆｍまで順次シフトする。そして、ゲートドライバチップ２１は、入力されるゲートイネーブル信号ＧＯＥのアクティブ期間に各シフトレジスタ段からの出力を出力するとともに、ゲートイネーブル信号ＧＯＥの非アクティブ期間にＬｏｗレベルの電圧を出力し、各シフトレジスタ段に対応して割り当てられたスイッチ回路２２の接続切り替えの制御信号ｃｔｌとする。
【００５６】
各スイッチ回路２２は、ゲートドライバチップ２１から入力される上記制御信号ｃｔｌに従って、ゲート信号線ＧＬを電圧ＶＤ１の入力端子に接続するか、電圧ＶＤ２の入力端子に接続するかを切り替える。シフトレジスタ段Ｆｊ（ｊ＝１、２、…、ｍ）に対応するスイッチ回路２２は、制御信号ｃｔｌが第１のレベル、例えばＨｉｇｈレベルであるときにはゲート信号線ＧＬｊを電圧ＶＤ１の入力端子に接続し、制御信号ｃｔｌが第２のレベル、例えばＬｏｗレベルであるときにはゲート信号線ＧＬｊを電圧ＶＤ２の入力端子に接続することにより、ゲート信号Ｇ（ｊ）の波形を形成する。
【００５７】
ゲートクロックＧＣＫおよびゲートイネーブル信号ＧＯＥの波形を図７に示す。ゲートスタートパルスＧＳＰは図示されていないが、ゲートクロックＧＣＫの１周期分のパルス幅を有するＨｉｇｈレベルの垂直同期パルスであり、ゲートクロックＧＣＫのタイミングに同期している。これらゲートクロックＧＣＫ、ゲートスタートパルスＧＳＰ、および、ゲートイネーブル信号ＧＯＥはコントロール基板４から供給される。また、上記電圧ＶＤ１として入力される電圧波形は図７では電圧（原信号）Ｖｏｕｔに相当している。電圧Ｖｏｕｔは、ゲートクロックＧＣＫに同期し、ゲート信号ＧのＨｉｇｈレベルであるゲートハイ電圧Ｖｇｈを最大レベルに有する、櫛歯形状の波形の電圧である。また、上記電圧ＶＤ２として入力される電圧はゲート信号ＧのＬｏｗレベルであるゲートロー電圧Ｖｇｌである。
【００５８】
図６に、上記電圧Ｖｏｕｔを生成する回路の基本構成を示す。
【００５９】
この回路は、オペアンプＯＰ、抵抗Ｒ１・Ｒ２・Ｒ３・Ｒ４、抵抗Ｒｃｔ１・Ｒｃｔ２、定電流源Ｉｃｔ、コンデンサＣｃｔ、および、スイッチＳＷ１を備えている。当該回路はコントロール基板６に備えられていてもよいし、液晶パネル２に実装あるいは形成されていてもよい。
【００６０】
抵抗（第１の抵抗）Ｒ１の一端はオペアンプＯＰの非反転入力端子に接続されており、抵抗Ｒ１の他端には電圧Ｖｉｎが入力される。電圧Ｖｉｎは一定の基準電圧であり、ここではゲートハイ電圧Ｖｇｈに等しく設定されている。抵抗（第２の抵抗）Ｒ２の一端は上記非反転入力端子に接続されており、抵抗Ｒ２の他端はＧＮＤに接続されている。抵抗（第３の抵抗）Ｒ３の一端はオペアンプＯＰの反転入力端子に接続されており、抵抗Ｒ３の他端は抵抗Ｒｃｔ１の一端およびスイッチＳＷ１の一方の端子に接続されている。抵抗（第４の抵抗）Ｒ４の一端はオペアンプＯＰの出力端子に接続されており、抵抗Ｒ４の他端は上記反転入力端子に接続されている。
【００６１】
抵抗（第５の抵抗）Ｒｃｔ１の他端は抵抗（第６の抵抗）Ｒｃｔ２の一端およびコンデンサＣｃｔの一方の端子に接続されている。抵抗Ｒｃｔ２の他端は定電流源Ｉｃｔの出力端子に接続されている。コンデンサＣｃｔの他端およびスイッチＳＷ１の他方の端子はＧＮＤに接続されている。
【００６２】
スイッチＳＷ１は、制御信号ＧＳＤに従って開閉動作し、制御信号ＧＳＤがＨｉｇｈレベルのときに閉状態となり、制御信号ＧＳＤがＬｏｗレベルのときに開状態となる。制御信号ＧＳＤは、図７に示すようにゲートクロックＧＣＫに対して同じ周期で同期した波形を有しており、ゲートクロックＧＣＫの立ち上がりタイミングでＨｉｇｈレベルからＬｏｗレベルに立ち下がった後に、所定期間後に再びＨｉｇｈレベルに立ち上がる。
【００６３】
上記構成の回路において、オペアンプＯＰおよび抵抗Ｒ１・Ｒ２・Ｒ３・Ｒ４は減算部を構成するものである。この減算部では、次の減算処理が行われる。
【００６４】
Ｖｏｕｔ  ＝  Ｖｉｎ・（Ｒ２／（Ｒ１＋Ｒ２））・（１＋（Ｒ４／Ｒ３））
−  （Ｒ４／Ｒ３）・Ｖｃｔ
ここで、Ｒ１＝Ｒ４、Ｒ２＝Ｒ３、Ａ＝Ｒ４／Ｒ３とすると、
Ｖｏｕｔ  ＝  Ｖｉｎ  −  Ａ・Ｖｃｔ
となる。
【００６５】
制御信号ＧＳＤ信号がＬｏｗレベルになると、スイッチＳＷ１は開状態に制御され、抵抗Ｒｃｔ２を介して定電流源ＩｃｔからコンデンサＣｃｔへの充電が行われる。このとき、抵抗Ｒｃｔ１とスイッチＳＷ１との接続点の電圧Ｖｃｔは、ゼロから徐々に上昇する。続いて制御信号ＧＳＤがＨｉｇｈレベルになると、スイッチＳＷ１は閉状態に制御され、コンデンサＣｃｔに充電された電荷は抵抗Ｒｃｔ１を介して徐々に放電される。このとき、電圧Ｖｃｔは徐々に低下して一定時間後にゼロとなる。この結果、電圧Ｖｃｔは、図７に示すようにノコギリ波状に変化する。
【００６６】
減算部においては、電圧ＶｃｔをＡ（＝Ｒ４／Ｒ３）倍されたものが電圧Ｖｉｎから減算される。電圧Ｖｃｔがゼロである間は、電圧Ｖｏｕｔとして電圧Ｖｉｎが出力される。これにより、図７に示すように、連続台形波からなる櫛波形波の電圧Ｖｏｕｔとして出力される。
【００６７】
図５において、シフトレジスタ段ＦｊにゲートスタートパルスＧＳＰがシフトされて当該シフトレジスタ段Ｆｊがアクティブなパルスを出力するときに、ゲートイネーブル信号ＧＯＥがＬｏｗレベルである間は、制御信号ｃｔｌがＨｉｇｈレベルとなることにより、電圧ＶＤ１としてゲートドライバ５に入力される電圧Ｖｏｕｔがゲート信号線Ｇｊに出力される。そして、上記以外の期間には制御信号ｃｔｌがＬｏｗレベルとなることにより、電圧ＶＤ２としてゲートドライバ５に入力されるゲートロー電圧Ｖｇｌがゲート信号線Ｇｊに出力される。
【００６８】
この結果、ゲート信号Ｇ（ｊ）は、図７に実線で示すように、画素の選択期間に立ち上がりに傾斜を伴ったパルスを有する波形となる。破線の波形は、ゲート信号線ＧＬｊの前段側および後段側のゲート信号を幾つか示したものである。このパルスの立ち上がりタイミングは、図７から分かるように、ゲートイネーブル信号ＧＯＥがＨｉｇｈからＬｏｗに切り替わるタイミング、すなわちアクティブレベルから非アクティブレベルに切り替わるタイミングであるので、原信号である電圧Ｖｏｕｔの波形のうち、抽出されてゲート信号線ＧＬｊに出力される電圧レベル傾斜期間ｔ１は、上記タイミングに応じて変化する。ここで、上記タイミングは電圧Ｖｏｕｔの台形波の電圧レベルが上昇している期間中のいずれかの時点に設定され、電圧Ｖｏｕｔのうち少なくとも上記タイミングにおけるレベルは、ゲートロー電圧Ｖｇｌ以上のレベルに設定されている。
【００６９】
このように、ゲート信号線ＧＬｊに出力されるゲート信号Ｇ（ｊ）は、ゲートロー電圧Ｖｇｌ以上のレベルから開始してゲートハイ電圧Ｖｇｈのレベルまで徐々に上昇する電圧レベル傾斜期間ｔ１と、上記電圧レベル傾斜期間ｔ１に続く、ゲートハイ電圧Ｖｇｈのレベルで一定となる電圧レベル一定期間ｔ２とからなる第１の電圧と、上記第１の電圧の全期間以外のゲートロー電圧Ｖｇｌからなる第２の電圧とを、つなぎ合わせた波形を有している。また、上記第１の電圧は、電圧レベルが徐々に上昇する電圧レベル上昇期間であって少なくとも上記電圧レベル傾斜期間ｔ１を最後に含む電圧レベル上昇期間と、上記電圧レベル上昇期間に続くゲートハイ電圧Ｖｇｈの一定レベルとなるＨｉｇｈレベル期間であって少なくとも上記電圧レベル一定期間ｔ２を最初に含むＨｉｇｈレベル期間と、上記Ｈｉｇｈレベル期間に続く、電圧レベルが低下する電圧レベル低下期間とからなる電圧波形が繰り返し連続するように生成された信号に含まれる、１つの上記電圧波形から抽出した電圧である。
【００７０】
また、電圧レベル傾斜期間ｔ１における傾斜の形状は、直線的なものでも曲線型のものでもよく、任意である。この傾斜は、図６の構成において抵抗およびコンデンサによる時定数によって決定できるような、アナログ回路の特性を利用したものである。従って、当該傾斜の勾配はアナログ回路の構成に応じて適宜変化させることが可能である。本実施形態では、特に、アナログ回路の温度特性を利用し、周囲温度に応じて上記傾斜の勾配を当該アナログ回路上で変えることにより、２Ｈドット反転駆動における前段側の画素容量の充電不足に起因する表示品位の低下に対する温度補償を容易に行うことができるようにしている。次に、この温度補償について説明する。
【００７１】
図８に、上記温度補償を行うための、電圧Ｖｏｕｔを生成する回路の構成を示す。
【００７２】
この回路は、図６の構成において、第５の抵抗として抵抗Ｒｃｔ１の代わりに負特性サーミスタ（ＮＴＣ）Ｔｈ１を用いたものである。負特性サーミスタＴｈ１は、低温時には抵抗値が大きく、高温時には抵抗値が小さい。従って、低温時には図１（ａ）に示すように、電圧Ｖｏｕｔの電圧レベル上昇期間における傾斜の勾配、すなわちゲート信号Ｇ（ｊ）の電圧レベル傾斜期間ｔ１における傾斜の勾配は小さく、常温・高温時には図１（ｂ）に示すように、電圧Ｖｏｕｔの電圧レベル上昇期間における傾斜の勾配、従ってゲート信号Ｇ（ｊ）の電圧レベル傾斜期間ｔ１における傾斜の勾配は非常に大きい。
【００７３】
これにより、実質的に、低温時にのみゲート信号Ｇ（ｊ）に立ち上がり傾斜を設けることが可能となり、表示品位の低下に対する温度補償を容易に行うことができる。
【００７４】
また、図１（ａ）・（ｂ）においては、制御信号ＧＳＤを、ゲートクロックＧＣＫの２周期分に等しい周期としながらゲートクロックＧＣＫに同期させ、ゲートクロックＧＳＤの、２Ｈドット反転駆動における後段側の画素の選択期間に対応するクロックパルスの立ち上がりから所定期間だけＬｏｗレベルとなるようにしている。これにより、電圧Ｖｏｕｔからゲート信号Ｇ（ｊ）を抽出した結果、前段側の画素に対するゲート信号Ｇ（ｊ）は方形波のゲートパルスを有する波形となり、後段側の画素に対するゲート信号Ｇ（ｊ）は電圧レベル傾斜期間ｔ１および電圧レベル一定期間ｔ２からなる第１の電圧のゲートパルスを有する波形となる。この制御信号ＧＳＤの波形は、図１（ｂ）のゲート信号Ｇ（ｊ）の方形波の形状には影響を与えない。
【００７５】
図２に、図１（ａ）・（ｂ）のゲート信号Ｇ（ｊ）を採用した場合の、各ゲート信号Ｇ（ｊ）と、正極性側のソース信号Ｓ（０）の波形とを示す。ゲート信号Ｇ（２）が図１（ａ）の実線のゲート信号Ｇ（ｊ）に相当し、期間Ｔｓｌｏｐｅが図１（ａ）の電圧レベル傾斜期間ｔ１に相当する。期間Ｔｓｌｏｐｅにおける充電量が抑えられるため、ゲート信号Ｇ（１）によりソース信号Ｓ（０）を画素容量に書き込む期間Ｔ１における充電量と、ゲート信号Ｇ（２）によりソース信号Ｓ（０）を画素容量に書き込む期間Ｔ２（＝電圧レベル傾斜期間ｔ１＋電圧レベル一定期間ｔ２）における充電量とが同等となる。これは、負極性側のソース信号Ｓでも事情は同じである。前段側の画素容量へのソース信号Ｓの書き込みにおいては既にソース信号Ｓの立ち上がりが緩慢であるために、前段側のゲート信号Ｇ（ｊ）の立ち上がりに傾斜を設けても、これ以上の充電量の低下はあまりない。従って、やはり、前段側の画素と後段側の画素とで輝度が揃う効果が得られる。
【００７６】
また、図３（ａ）・（ｂ）に示すように、制御信号ＧＳＤを、図７と同様にゲートクロックＧＣＫの１周期分に等しい周期としながらゲートクロックＧＳＤに同期させ、ゲートクロックＧＳＤの各クロックパルスの立ち上がりから所定期間だけＬｏｗレベルとなるようにしてもよい。この場合には、低温時において、全てのゲート信号Ｇ（ｊ）が、電圧レベル傾斜期間ｔ１および電圧レベル一定期間ｔ２からなる第１の電圧のゲートパルスを有する波形となる。この制御信号ＧＳＤの波形は、図３（ｂ）のゲート信号Ｇ（ｊ）の方形波の形状には影響を与えない。
【００７７】
なお、図６の回路において、抵抗Ｒｃｔ１は負特性サーミスタＴｈ１のように周囲温度により大きくは抵抗値を変えない抵抗であるが、図６の回路を２つ設けておき、抵抗Ｒｃｔ１に変わる第５の抵抗として抵抗値の異なる抵抗を備え、周囲温度によって上記２つの回路が切り替わってゲートドライバ５の電圧ＶＤ１の端子に接続されるような構成とすれば、温度補償が可能になる。このとき、例えば、抵抗値の大きいほうの第５の抵抗を備えた回路の出力を正特性サーミスタで上記電圧ＶＤ１の端子に接続すれば低温時のゲート信号Ｇ（ｊ）を生成することができ、抵抗値の小さいほうの第５の抵抗を備えた回路の出力を負特性サーミスタで上記電圧ＶＤ１の端子に接続すれば常温・高温時のゲート信号Ｇ（ｊ）を生成することができる。
【００７８】
また、上記２つの抵抗を第５の抵抗として同じ箇所に並列に接続しておき、低温と常温・高温とで導通する抵抗が切り替わるような構成でも温度補償が可能である。導通用のスイッチとして上記正特性サーミスタおよび負特性サーミスタを抵抗に直列に接続すればよい。
【００７９】
また、温度によりダイオードの順方向電圧が変化することを利用して、通常の抵抗にダイオードを並列に接続したものを第５の抵抗とし、温度によりダイオードが導通する場合と導通しない場合とを生成するようにして時定数を変化させることも可能である。また、この構成において、通常の抵抗に逆方向のダイオードを並列接続したものを第５の抵抗とし、ダイオードの逆方向特性におけるブレークダウン電圧の温度変化も利用可能である。
【００８０】
また、第５の抵抗として半導体層を用い、半導体の抵抗値の温度変化を利用して時定数を変えることも可能である。さらに、第５の抵抗をＭＯＳ抵抗で構成し、上記ダイオードの各電圧のいずれかをＭＯＳ抵抗のゲートに与え、周囲温度によるＭＯＳ抵抗の変化を利用して時定数を変えることも可能である。
【００８１】
また、時定数を決定する回路には、図６や図８の構成に限らず、一般に知られている無数の時定数回路を利用することが可能である。この時定数回路で作成した傾斜波形を、図図６や図８の減算部で処理すれば、電圧Ｖｏｕｔが得られる。
【００８２】
また、上記減算部を用いなくとも、ゲートイネーブル信号ＧＯＥや制御信号ＧＳＤのタイミングを用いて、電圧レベル上昇期間の波形と、Ｈｉｇｈレベル期間と、電圧レベル低下期間とを、順次、異なるスイッチ出力から出力してつなぎ合わせることによっても、電圧Ｖｏｕｔを生成することが可能である。電圧レベル低下期間は、例えば充電した容量の放電波形で生成可能である。
【００８３】
このように、ゲート信号Ｇ（ｊ）の立ち上がりに傾斜を設ける場合には、アナログ回路での変幻自在な温度補償構成が可能である。また、温度補償は、低温時と常温・高温時との２通りに分けて行う必要はなく、任意数の段階に分けてもよいし、連続的な補償レベルが提供されてもよいから、アナログ回路はこれを実現する上で非常に都合がよい。
【００８４】
さらには、本実施形態に係る液晶表示装置１によれば、電圧Ｖｏｕｔを生成する回路やスイッチ回路２２…は、従来のコントロール回路やドライバ回路とは別に構成して、当該コントロール回路やドライバ回路に接続するだけでよい。従って、立ち上がりに傾斜を伴うゲート信号Ｇ（ｊ）を生成するのに、既存のコントロール回路やドライバ回路、特にチップ形態のものを、そのまま利用することができる。特許文献１の構成では、ゲートパルスの幅を変化させるのに、コントロール回路やドライバ回路の構成を変えなければならず、従来のものが使用できない。
【００８５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８６】
本発明は、アクティブマトリクス型の表示装置に好適に使用することができる。
【図面の簡単な説明】
【００８７】
【図１】本発明の実施形態を示すものであり、（ａ）は低温時のゲート信号の生成過程を示す波形図、（ｂ）は常温・高温時のゲート信号の生成過程を示す波形図である。
【図２】図１（ａ）のゲート信号を用いて表示駆動を行うときのソース信号による画素容量の充電量を説明する波形図である。
【図３】本発明の実施形態を示すものであり、（ａ）は低温時の他のゲート信号の生成過程を示す波形図、（ｂ）は常温・高温時の他のゲート信号の生成過程を示す波形図である。
【図４】本発明の実施形態を示すものであり、表示装置の構成を示すブロック図である。
【図５】図４の表示装置が備えるゲートドライバの構成を示す回路ブロック図である。
【図６】図５のゲートドライバに入力する電圧を生成する回路の基本構成を示す回路図である。
【図７】図５のゲートドライバによって生成するゲート信号の生成過程を示す波形図である。
【図８】図５のゲートドライバに入力する電圧を生成する温度補償が可能な回路の構成を示す回路図である。
【図９】従来技術を示すものであり、ドット反転駆動を説明するタイミングチャートである。
【図１０】従来技術を示すものであり、２Ｈドット反転駆動を説明するタイミングチャートである。
【図１１】従来技術を示すものであり、２Ｈドット反転駆動の問題点を説明するタイミングチャートである。
【図１２】従来技術を示すものであり、ゲートパルスの幅を変えることのできる表示装置の構成を示すブロック図である。
【図１３】従来技術を示すものであり、図１２の表示装置の動作を示すタイミングチャートである。
【符号の説明】
【００８８】
１            液晶表示装置（表示装置）
Ｖｇｈ        ゲートハイ電圧
Ｖｇｌ        ゲートロー電圧（第２の電圧）
Ｖｉｎ        電圧（基準電圧）
Ｖｏｕｔ      電圧（原信号）
ｔ１          電圧レベル傾斜期間
ｔ２          電圧レベル一定期間
Ｇ（ｊ）      ゲート信号
ＯＰ          オペアンプ
Ｒ１          抵抗（第１の抵抗）
Ｒ２          抵抗（第２の抵抗）
Ｒ３          抵抗（第３の抵抗）
Ｒ４          抵抗（第４の抵抗）
Ｒｃｔ１      抵抗（第５の抵抗）
Ｒｃｔ２      抵抗（第６の抵抗）
Ｔｈ１        負特性サーミスタ（第５の抵抗）
Ｉｃｔ        電流源
Ｃｃｔ        コンデンサ
ＳＷ          スイッチ
ＧＳＤ        制御信号
【図１】
2009294306.tif 000003
【図２】
2009294306.tif 000004
【図３】
2009294306.tif 000005
【図４】
2009294306.tif 000006
【図５】
2009294306.tif 000007
【図６】
2009294306.tif 000008
【図７】
2009294306.tif 000009
【図８】
2009294306.tif 000010
【図９】
2009294306.tif 000011
【図１０】
2009294306.tif 000012
【図１１】
2009294306.tif 000013
【図１２】
2009294306.tif 000014
【図１３】
2009294306.tif 000015